(57)【要約】【課題】本発明は、ケーブルその他の線状部材を構成要素として含む装置またはシステムにおいて、その線状部材の余長分の収納に供される余長収納部材に関し、寸法および体積が小さく、かつ安価に所望の余長分を柔軟に収納できることを目的とする。【解決手段】第一の弾性素材で形成されて中空部を有し、前記中空部の内壁に線状部材の余長分の全てまたは一部の両端を個別に固着する固着部材を含む外筐と、第二の弾性素材で形成され、かつ前記中空部において前記線状部材の余長分を張架する張架部材とを備える。【選択図】図１
2011229339.tif 000002
【特許請求の範囲】
【請求項１】
第一の弾性素材で形成されて中空部を有し、前記中空部の内壁に線状部材の余長分の全てまたは一部の両端を個別に固着する固着部材を含む外筐と、
第二の弾性素材で形成され、かつ前記中空部において前記線状部材の余長分を張架する張架部材と
を備えたことを特徴とする余長収納部材。
【請求項２】
第一の弾性素材で形成されて中空部を有し、かつ前記中空部と外部との間に線状部材が遊挿する２つの穴が形成された外筐と、
第二の弾性素材で形成され、かつ前記中空部において前記線状部材の余長分を張架する張架部材と
を備えたことを特徴とする余長収納部材。
【請求項３】
第一の弾性素材で形成されて中空部を有し、前記中空部の一端に前記線状部材の余長分の一端が固着する固着部材を含み、かつ前記中空部の他端に線状部材が外部との間で遊挿可能な穴が形成された外筐と、
第二の弾性素材で形成され、かつ前記中空部において前記余長分を張架する張架部材と
を備えたことを特徴とする余長収納部材。
【請求項４】
請求項１ないし請求項３の何れか１項に記載の余長収納部材において、
前記中空部の内壁に設けられ、かつ前記線状部材の所定の箇所を支持し、あるいは把持する迂回部材を備えた
ことを特徴とする余長収納部材。
【請求項５】
請求項１ないし請求項４の何れか１項に記載の余長収納部材において、
前記張架部材は、
前記中空部内に分散されて複数設けられた
ことを特徴とする余長収納部材。
【発明の詳細な説明】
【技術分野】
【０００１】
本発明は、ケーブルその他の線状部材を構成要素として含む装置またはシステムにおいて、その線状部材の余長部の収納に供される余長収納部材に関する。
【背景技術】
【０００２】
電子機器や通信装置では、パッケージ内に備えられた異なる回路や部品の間だけではなく、異なるパッケージやラックに備えられた回路や部品の間に電気的あるいは光学的なリンクを形成するために、電線や光ケーブルが用いられる。
【０００３】
これらの電線や光ケーブルの長さは、組み立て、配線、調整、保守その他の過程における作業の利便性の確保に併せて、構成要素の標準化を実現するために、両端にそれぞれ接続された回路や部品の間の最短距離より長く設定される。
【０００４】
また、このような電子機器や通信装置の多くには、上記電線または光ケーブル実装時における余長分を巻き取り、あるいは絡げて固定するために余長収納部材が備えられる。
なお、本発明に関連する先行技術としては、以下に列記する特許文献１ないし特許文献３がある。
【０００５】
(1) 「中心軸から放射状にほぼ等距離に形設された複数個のアーム状体の先端に形成されたコの字状枠からなるケーブルサポート部と、アームの連結部から片側直角方向に設けられた上記中心軸とからなり、コの字状枠の内側に余長のケーブルを巻装するケーブル押え部と中心軸の先端に形成され電子回路パッケージの所定位置に挿通・固定する固定端子とを有する」ことにより、「従来のパツケージに取付ける余長ケーブルのケーブルサポート取付けに関して派生する不都合の問題をなくし、また、パッケージを収納するシェルフ前面スペースの有効活用が可能となる」点に特徴があるケーブル処理構造
【０００６】
(2) 「平板状をなす配線板本体に、電線ケーブルの配線方向を変え得る少なくとも２個以上の方向変換具が配設され、当該方向変換具間の離隔距離を任意にあるいは固定状態に設定される」ことにより、「電子応用機器類に接続される多数のケーブルの余長部を余すとこなく整理、収納する」点に特徴がある配線収納方法および当該配線収納方法
【０００７】
(3) 「管路内に収納挿通されるケーブル類を管路内に引き込ませるよう予め余長分を設定し、その余長分を鉛直方向で巻回保持しておく耐震ケーブル支持方法であって、巻回されたターン部分のほぼ上半分を、下方開口の断面で溝形の長尺状のケーブルホルダー内に挿通支持し、管路内のケーブル類の引き込み力でターン部分をケーブルホルダーから強制的に直接に取り外し、伸張させる」ことにより、「地盤沈下に伴いケーブル類を引き出し延伸するとき、巻回状に保持した余長分の解き作用を確実にし管路内への引き込みを円滑にし、ケーブル類の切断を防止する」点に特徴がある耐震ケーブル支持方法
【先行技術文献】
【特許文献】
【０００８】
【特許文献１】実開平７−１６４７９号公報
【特許文献２】特開平１１−２６２１５０号公報
【特許文献３】特開２００７−２０９０５１号公報
【発明の概要】
【発明が解決しようとする課題】
【０００９】
ところで、上述した従来例では、電線や光ケーブルの余長分を巻き取り、あるいは絡げるために内部に大きなスペースが確保されなければならなかった。
【００１０】
さらに、余長分が巻き取られる構造の従来例では、その余長分の巻き取りと巻き戻しの阻止とを実現するトルクを発生するバネ等が備えなければならなかった。
【００１１】
すなわち、従来例では、寸法が比較的大きくなり、かつ形状に関する自由度が低いために、余長分を有する電線や光ケーブルの実装には広い空間が確保されなければならなかった。
【００１２】
本発明は、寸法および体積が小さく、かつ安価に所望の長さの余長分を柔軟に収納できる余長収納部材を提供することを目的とする。
【課題を解決するための手段】
【００１３】
請求項１に記載の発明では、外筐および張架部材は、何れも、弾性を有し、かつ線状部材の余長分は、その余長分の全てまたは一部の両端が固着部材に固着され、かつ張架部材によって張架された状態で外筐の中空部内に収納される。
【００１４】
したがって、線状部材の余長分は、長さが予め決められた範囲内であるならば、外筐の中空部内では、張架部材の弾性により絡まることなく収納され続ける。
【００１５】
請求項２に記載の発明では、線状部材の余長分は、外筐に形成された２つの穴を介して外部にその線状部材の両端が引き出され、かつ張架部材によって張架された状態で外筐の中空部内に収納される。
【００１６】
上記２つの穴は外筐の外部と中空部との間において線状部材が遊挿可能に形成され、かつ張架部材は伸縮可能な第二の部材で形成される。
【００１７】
したがって、線状部材の余長分は、長さが予め決められた範囲内であるならば、外筐の中空部内では、その線状部材が固着されないにもかかわらず、張架部材の弾性により絡まることなく収納され続ける。
【００１８】
請求項３に記載の発明では、上記請求項２に備えられた２つの穴の一方は、中空部の一端に配置され、かつ線状部材の余長分の一端が固着する固着部材で代替される。
【００１９】
したがって、線状部材の余長分は、一端が上記着部材で中空部内に固定されるものの、請求２に記載の発明と同様に、張架部材の弾性により絡まることなく収納され続ける。
【００２０】
請求項４に記載の発明では、請求項１ないし請求項３の何れか１項に記載の余長収納部材において、迂回部材は、中空部の内壁に設けられ、かつ線状部材の所定の箇所を支持し、あるいは把持する迂回部材に固着される。
【００２１】
すなわち、中空部内では、余長分の一部が位置する領域が迂回部材によって制限される。
したがって、線状部材の余長分が中空部内において絡まる可能性が低く抑えられる。
【００２２】
請求項５に記載の発明では、請求項１ないし請求項４の何れか１項に記載の余長収納部材において、前記張架部材は、前記中空部内に分散されて複数設けられる。
【００２３】
すなわち  中空部内で上記複数の張架部材によって線状部材の余長分が屈曲する箇所が変化することが許容されるならば、その余長分の長さの変化や偏差は、上記複数の張架部材が個別に有する弾性によって分散されて吸収される。
したがって、広範な余長分の長さに対する柔軟な適応が可能となる。
【発明の効果】
【００２４】
本発明に係る余長収納部材によれば、従来例に比べて構成が複雑化することなく小型化が可能であるにもかかわらず、外筐の外部において線状部材の両端間の距離が変化し、あるいはその線状部材の部位が配置される経路や位置が変化しても、余長分は、張架部材の弾性により外筐の中空部内に引き込まれ、かつ絡まることなく収納され続ける。
【００２５】
したがって、本発明が適用された装置やシステムでは、余長収納部材内に余長分が個別に収納される線状部材の数、配置、組み合わせの如何にかかわらず、設計、製造、調整、輸送、設置、保守・運用、移設、改修の何れのフェーズにおいても利便性および自由度が高く確保され、かつ維持される。
【図面の簡単な説明】
【００２６】
【図１】本発明の一実施形態が適用された装置の外観を示す図である。
【図２】ケーブルの余長分を収納する余長収納部材の外観を示す図である。
【図３】本実施形態に係る余長収納部材の構成の詳細を示す図である。
【発明を実施するための形態】
【００２７】
以下、図面に基づいて本発明の実施形態について詳細に説明する。
図1は、本発明の一実施形態が適用された装置の外観を示す図である。
図において、本発明が適用される装置の本体は、その本体の筐体に該当するパネル１と、そのパネル１に嵌合（あるいは螺合）するシャーシ２と、これらのパネル１とシャーシ２との間に伸縮自在に架設されるケーブル３とで構成される。
【００２８】
このようなケーブル３の余長分は、図２に示すように、本発明に係る余長収納部材４の内部に収納される。
余長収納部材４は、図３(ａ)に示すように、以下の要素から構成される。
【００２９】
(1) 両端が閉じられ、かつ弾性を有するシリンダー状部材として構成された外筐１１
(2) 外筐１１の両端に１つずつ備えられ、そのケーブル３の余長部に該当する部位の最も隔たった両端がそれぞれ固着される固着部１２-1、１２-2
【００３０】
(3) 外筐１１の中空部の内壁の内、固着部１２-2に近い所定の箇所に形成され、かつ上記余長部の第一の箇所が固着される弛み調整部材１３
(4) 外筐１１の端部の内、固着部１２-1が形成された端部の内壁に凸設され、かつ弾性を有すると共に、ケーブル３の余長分の所定の箇所が固着される張架部材１４
【００３１】
このような構成の余長収納部材では、図１に示す状態におけるケーブル３の余長分は、図３(ａ)に示すように、以下に列記される状態で外筐１１の中空部内に収納される。
【００３２】
(1) 両端が固着部１２-1、１２-2に固定される。
(2) 固着部１２-1から弛み調整部材１３および張架部材１４を介して固着部１２-2に至る３つの区間では、ほぼ弛みがない状態で架設される。
【００３３】
また、図１で示される状態から図２で示される状態に変化する（ケーブル３の両端の距離が増加する）過程では、ケーブル３の余長分は、外筐１１の中空部内における各部の連係の下で以下のように張架される。
【００３４】
(1) 外筐１１は、弾性を有するため、「ケーブル３の両端に加えられ、かつ外筐１１の両端の距離を拡大する力」に応じて、シリンダー状部材としての長さが拡大される。
(2) 張架部材１４は、同様に弾性を有するため、上記力に応じて伸張し、上記３つ区間における余長分の長さの不足を補う。
【００３５】
このような力が弱まり、または無くなると、ケーブル３の余長分は、外筐１１のシリンダー状部材としての長さと、張架部材１４の形状および寸法とが既述の弾性に応じて（段階的に）元の状態に戻る。
【００３６】
すなわち、ケーブル３の余長分は、外筐１１の中空部内に収納されたまま、その外筐１１と張架部材１４との弾性に応じて伸縮自在となる。
【００３７】
また、本実施形態に係る余長収納部材は、バネやケーブル３の巻き取り機構のように、コスト高であって物理的な体積が大きい部材を備えることなく、単純に構成される。
【００３８】
したがって、従来例に比べて寸法や体積が少なく、かつ安価に多様なケーブルの余長分を柔軟に収納となる。
【００３９】
また、本実施形態が適用された装置やシステムは、保守、運用その他の多様なフェーズにおける利便性および自由度が高められる。
【００４０】
なお、本実施形態では、ケーブル３の一端が余長分の末端に該当する場合には、固着部１２-1、１２-2の双方または何れか一方は備えられなくてもよい。
【００４１】
また、本実施形態では、ケーブル３の長さが比較的短い場合には、弛み調整部材１３は、備えられなくてもよい。
【００４２】
さらに、本実施形態では、ケーブル３の余長分の長さが「外筐１１が固有の弾性によって伸張可能な長さ」以下であるならば、張架部材１４は備えられなくてもよい
【００４３】
また、本実施形態では、ケーブル３の余長分が外筐１１の外部に引き出されてもよい場合には、固着部１２-1、１２-2の双方または何れか一方は、その余長分が遊挿可能な穴で代替されてもよい。
【００４４】
さらに、本実施形態では、張架部材１４は外筐１１の中空部内に複数設けられ、これらの張架部材が個別に有する弾性により、外筐１１の外部におけるケーブル３３の長さが実効的に伸縮可能な範囲が大きく設定されてもよい。
【００４５】
また、本実施形態では、外筐１１および張架部材１４の素材は、既述の弾性を有し、かつケーブル３の被覆・構造および特性に適合するならば、如何なるものであってもよい。
【００４６】
さらに、本実施形態では、余長分の伸縮が要求されるならば、そのケーブル３に代えて糸、ひも、針金（支線）その他の如何なる素材の線状部材を備える装置やシステムにも同様に適用可能である。
【００４７】
また、本実施形態では、外筐１１は、シリンダー状部材に限定されず、弾性を有するならば、既述の中空部として室、洞、槽の何れを有する部材であってもよい。
【００４８】
さらに、本実施形態では、弛み調整部材１３は、ケーブル３の余長分の所定の箇所を固着可能に構成されているが、このような構成に限定されず、例えば、同様の箇所を包み込んで固定し、あるいはその箇所が遊挿可能に構成されてもよい。
【００４９】
また、本発明は、上述した実施形態に限定されず、本発明の範囲において多様な実施形態の構成が可能であり、構成要素の全てまたは一部に如何なる改良が施されてもよい。
【符号の説明】
【００５０】
１  パネル
２  シャーシ
３  ケーブル
１１  外筐
１２  固着部
１３  弛み調整部材
１４  張架部材
【図１】
2011229339.tif 000003
【図２】
2011229339.tif 000004
【図３】
2011229339.tif 000005